(57)【要約】　　　（修正有）【課題】店頭で宝石、指輪等小物宝飾品を自由に試着してもらえるようにオープン陳列を行なう際、盗難の恐れを解消するための宝石等展示容器。【解決手段】　堅牢な第１ケース１０内の表面板１２の裏側に、後端縁の下から上に向かって形成した切欠部を有する支持板を所定間隔で直角に固着し、該支持板の側面に金属製円盤状第２ケースを係合し、該金属製円盤状第２ケース内にワイヤ巻取り用板ばねを設け、該表面板の表側で該円盤状第２ケースの対応個所にＶ字形支持体２２を設け、該ワイヤ巻取り用板ばねに強靭なコード２０を接続し、該表面板と該Ｖ字形支持体とに穿設された貫通孔２２aを貫通して外部に導かれた強靭なコードに留め金具２４を介して接続されたリング状紐と、該リング状紐に係合される展示用小物宝飾品３０と、該第１ケースの裏側に一体に設けられた裏板とから成り、該ワイヤ巻取り用板ばねにより該コードが内側に常時付勢されて引き込まれることを特徴とする。【選択図】　図２
0003100287.tif 000002
【実用新案登録請求の範囲】
【請求項１】
　所要大きさの堅牢な第１ケースと、後端縁の下から上に向かって形成した切欠部を有し、該第１ケースの表面板の裏側に所定間隔で直角に固着された支持板と、該支持板の側面で該切欠部と上縁とに係合された金属製円盤状第２ケースと、該金属製円盤状第２ケース内に設けられたワイヤ巻取り用板ばねと、該表面板の表側で該円盤状第２ケースの対応個所に一体に設けられたＶ字形支持体と、該ワイヤ巻取り用板ばねに一端が接続され、該表面板と該Ｖ字形支持体とに穿設された貫通孔を貫通して外部に導かれた強靭なコードと、該コードに留め金具を介して接続されたリング状紐と、該リング状紐に係合される展示用小物宝飾品と、該第１ケースの裏側に一体に設けられた裏板とから成るものであり、該ワイヤ巻取り用板ばねにより該コードが内側に常時付勢されて引き込まれることを特徴とする宝石等展示容器。
【考案の詳細な説明】
【技術分野】
【０００１】
　この考案は、宝石等展示容器に関し、更に詳しくはデパート、スーパーマーケット、宝石専門店等の店頭で展示・販売するためにオープン陳列した宝石、指輪等小物宝飾品を自由に試着可能で、且つ盗難防止にも役立つ宝石等展示容器に関する。
【背景技術】
【０００２】
　従来、デパート、スーパーマーケット、宝石専門店等用の宝石箱は多数提案されている。
【０００３】
　その例としては、例えば
【特許文献１】実開平６−７５２２２（宝石陳列用部材及び宝石箱）；
【特許文献２】実開平７−０２３４２７（ピンナップ式アクセサリ―ケース）；
【特許文献３】実用新案登録第３０１９５３１号（宝飾品を収納する業務用携帯ケース）；
【特許文献４】実用新案登録第３０５０７０５号（容器）；等が挙げられる。
【考案の開示】
【考案が解決しようとする課題】
【０００４】
　しかしこれら先行技術に係る宝石箱には、オープン陳列に関する概念がなく、ましてデパート、スーパーマーケット、宝石専門店等の店頭において、オープン陳列したとしても、これら商品を自由に試着できず、防犯対策がなされていないので、盗難に対する対策が無いので、デパート、スーパーマーケット、宝石専門店等の最大の悩みであった。
【課題を解決するための手段】
【０００５】
　この考案は、所要大きさの堅牢な第１ケースと、後端縁の下から上に向かって形成した切欠部を有し、該第１ケースの表面板の裏側に所定間隔で直角に固着された支持板と、該支持板の側面で該切欠部と上縁とに係合された金属製円盤状第２ケースと、該金属製円盤状第２ケース内に設けられたワイヤ巻取り用板ばねと、該表面板の表側で該円盤状第２ケースの対応個所に一体に設けられたＶ字形支持体と、該ワイヤ巻取り用板ばねに一端が接続され、該表面板と該Ｖ字形支持体とに穿設された貫通孔を貫通して外部に導かれた強靭なコードと、該コードに留め金具を介して接続されたリング状紐と、該リング状紐に係合される展示用小物宝飾品と、該第１ケースの裏側に一体に設けられた裏板とから成るものであり、該ワイヤ巻取り用板ばねにより該コードが内側に常時付勢されて引き込まれることを特徴とする宝石等展示容器である。
【考案の効果】
【０００６】
　（１）この考案に係る宝石等展示容器によれば、デパート、スーパーマーケット、宝石専門店等の店頭においてオープン陳列している宝石類、指輪、エアリング、ブレスレット等の貴重品を顧客が自由に試着できるようになる。
【０００７】
　（２）同時に扁平で堅牢な第１ケース内の円盤状第２ケース内に設けられたワイヤ巻取り用板ばねに留め金具を介して接続されたリング状紐に所望小物宝飾品を設けたので盗難が無くなる。
【０００８】
　（３）展示容器は、デパート、スーパーマーケット、宝石専門店等内に順序立てて美麗に配置されるので商品管理が格段に容易となる。
【０００９】
　（４）従ってブレスレット等の大型の宝飾品は、より大型の宝石等展示容器を使用すれば問題なく展示可能となる。
【考案を実施するための最良の態様】
【００１０】
　所要大きさの堅牢な第１ケースと、後端縁の下から上に向かって形成した切欠部を有し、該第１ケースの表面板の裏側に所定間隔で直角に固着された支持板と、該支持板の側面で該切欠部と上縁とに係合された金属製円盤状第２ケースと、該金属製円盤状第２ケース内に設けられたワイヤ巻取り用板ばねと、該表面板の表側で該円盤状第２ケースの対応個所に一体に設けられたＶ字形支持体と、該ワイヤ巻取り用板ばねに一端が接続され、該表面板と該Ｖ字形支持体とに穿設された貫通孔を貫通して外部に導かれた強靭なコードと、該コードに留め金具を介して接続されたリング状紐と、該リング状紐に係合される展示用小物宝飾品と、該第１ケースの裏側に一体に設けられた裏板とから成るものであり、該ワイヤ巻取り用板ばねにより該コードが内側に常時付勢されて引き込まれることを特徴とする宝石等展示容器である。
【実施例１】
【００１１】
　この考案に係る宝石等展示容器の指輪を自由に試着してもらえるオープン陳列・展示の実施例について添付図面で説明する。
　図１〜３において、請求項１記載の宝石等展示容器は、所要長さ、奥行き、厚みを有する合成樹脂製堅牢な４角形第１ケース１０であり、その表面板１２の裏側に後端縁１４ａの下から上に向かって形成した切欠部１４ｂを有する１個又は複数個の支持板１４、１４、１４を所要間隔で直角に固着する。
【００１２】
　該支持板１４の側面で該切欠部１４ｂと上縁とに、金属製円盤状第２ケース１６を一体に係合する。該金属製円盤状第２ケース１６内にワイヤ巻取り用板ばね１８を設け、該巻取り用板ばね１８を該第２ケース１６内の中心に固定し、該ワイヤ巻取り用板ばね１８の他端に所要長さを有する強靭なコード２０の一端を接続する。
【００１３】
　図４〜６に示す様に、該表面板１２の表面で該支持板１４の対応個所にＶ字形支持体２２を水平で一体に設け、該表面板１２と該Ｖ字形支持体２２とで該支持板１４の対応個所に穿設された貫通孔１２ａと２２ａとを該コード２０の一端を貫通して外部に導く構成とする。
【００１４】
　該強靭コード２０の他端に留め金具２４を介してリング状紐２６を接続し、該リング状紐２６に所望の指輪３０を取り付けて宝石等展示容器１０とし、該宝石等展示容器１０裏側に背面板２８を一体に設ける。その結果、該指輪３０は、該ワイヤ巻取り用板ばね２０により該コード２２を常時内側に付勢されて引き込まれる。
【００１５】
　従って該指輪３０が該Ｖ字形支持体２２に位置し、顧客が試着しようとする場合は、該指輪３０を引けば容易に自己の指に着用可能となり、外せば該ワイヤ巻取り用板ばね１８により該Ｖ字形支持体２２に戻せるものである。
【００１６】
　そして顧客が不用意に該小物宝飾品２４を持ち去ろうとしても、該強靭コード２０に接続されているので、充分な防犯効果が得られる。
【図面の簡単な説明】
【００１７】
【図１】この考案に係る宝石等展示容器の正面図である。
【図２】図１に示す宝石等展示容器から１個の指輪を部分的に取り出した状態を示す拡大斜視図である。
【図３】図２の宝石等展示容器から背面板を取外して内部の金属製円盤状第２ケースを示す拡大斜視図である。
【図４】図１に示す宝石等展示容器の1Ｖ-１Ｖ線部分透視拡大断面略図である。
【図５】図１に示す宝石等展示容器のＶ-Ｖ線部分拡大断面略図である。
【図６】図４に示す金属製円盤状第２ケース、Ｖ字形支持体及び指輪の部分拡大一部透視正面略図である。
【図７】図６に指輪が嵌合されている状態を示す拡大正面図である。
【図８】図７から指輪を取外した状態を示す拡大正面図である。
【図９】金属製円盤状第２ケース内に設けられるワイヤ巻取り用板ばねと、それに接続された強靭コードとリング状紐とを引き出している状態を示す略図である。
【図１０】強靭コードに留め金具を介して接続されるリング状紐の一部透視拡大分解斜視図である。
【符号の説明】
【００１８】
　１０　　宝石等展示容器；
　１２　　表面板；
　　　１２ａ　　貫通孔；
　１４　　支持板；
　　　１４ａ　　後端縁；
　　　１４ｂ　　切欠部；
　１６　　金属製円盤状第２ケース；
　１８　　ワイヤ巻取り用板ばね；
　２０　　強靭コード；
　２２　　Ｖ字形支持体；
　　　２２ａ　　貫通孔；
　２４　　留め金具；
　２６　　リング状紐；
　２８　　背面板；
　３０　　小物宝飾品（指輪）。
【図１】
0003100287.tif 000003
【図２】
0003100287.tif 000004
【図３】
0003100287.tif 000005
【図４】
0003100287.tif 000006
【図５】
0003100287.tif 000007
【図６】
0003100287.tif 000008
【図７】
0003100287.tif 000009
【図８】
0003100287.tif 000010
【図９】
0003100287.tif 000011
【図１０】
0003100287.tif 000012